(57)【要約】【課題】流体の交換流量を自動制御する回転式熱交換装置の作動機能を有し、ターンテーブルにより回転駆動装置に駆動される回転式熱交換用ターンテーブルまたは回転式全熱交換用ターンテーブルを制御することにより、交換流体の流量、温度分布、湿度分布、交換する気相または液相流体の成分を制御する回転式熱交換装置を提供する。【解決手段】伝統的な回転式二流路型熱交換装置を流体の交換流量を自動制御する回転式熱交換装置１０００の作動機能に製作する。ターンテーブルの回転駆動装置１１０によって駆動する回転式熱交換用ターンテーブルまたは回転式全熱交換用ターンテーブル２００を制御することにより、交換流体の流量を制御したり、温度分布を制御したり、湿度の分布を制御したり、交換する気相または液相流体の成分を制御したりする。【選択図】図７
2010151438.tif 000002
【特許請求の範囲】
【請求項１】
交換流量を自動制御する回転式熱交換装置であって、流体の交換流量を自動制御する作動機能を有し、適時に流体と熱交換用ターンテーブルとの間の温度分布状態を変更させ、または、圧送する気相または液相の流体の成分の割合を制御し、また、回転式熱交換装置の内部の熱交換用ターンテーブルに浸透式や吸着式等の吸湿材料が挟込みまたは塗布され、または、本体が吸湿機能を兼ね備えている熱交換用ターンテーブルであるとき、一歩進んで、全熱交換機能の除湿効果を有し、回転式熱交換装置（１０００）の二流路流体の流体口（ａ）、流体口（ｂ）、流体口（ｃ）、流体口（ｄ）の中の流体口（ｂ）及び流体口（ｄ）に別々に負圧または正圧を形成する一方向流体ポンプ（１２０ａ）、一方向流体ポンプ（１２０ｂ）が設置され、二流路流体ポンピング装置（１２３）が構成されていることにより、電源（３００）の電気エネルギーを通して、制御装置（２５０）を経て駆動される二流路流体ポンピング装置（１２３）の中で負圧または正圧を形成する一方向流体ポンプ（１２０ａ）、一方向流体ポンプ（１２０ｂ）を制御し、二つの流体をポンピングし、回転式熱交換用ターンテーブル（１００）へ流れる区域及び流体の流向が異なり、また、二つの流向が異なる流体の流路は互いに隔離され、
回転式熱交換装置（１０００）と負圧または正圧を形成する一方向流体ポンプ（１２０ａ）、一方向流体ポンプ（１２０ｂ）は一体または分離設置により、二流路流体ポンピング装置（１２３）の機能を構成可能であり、２個の負圧または正圧を形成する一方向流体ポンプ（１２０ａ）、一方向流体ポンプ（１２０ｂ）が別々に流体口（ｂ）及び流体口（ｄ）に設置されていることにより、流体を異なる流向へ圧送し、２個の負圧または正圧を形成する一方向流体ポンプ（１２０ａ）、一方向流体ポンプ（１２０ｂ）は個別に電力モータが設置されて駆動され、または、同一電力モータを共用して駆動可能であり、制御装置（２５０）の制御を通して、ニーズによって下記の機能様式の作動を含み、１．２個の一方向流体ポンプ（１２０ａ）、一方向流体ポンプ（１２０ｂ）によって負圧のポンピングを行うことにより、ツーウェイ流体を異なる流向へ圧送し、２．２個の一方向流体ポンプ（１２０ａ）、一方向流体ポンプ（１２０ｂ）によって正圧のポンピングを行うことにより、ツーウェイ流体を異なる流向へ圧送し、前述の１．、２．種類の機能様式で圧送されるツーウェイ流体は回転式熱交換用ターンテーブル（１００）の異なる区域を通過し、ツーウェイ流体の流路は互いに隔離され、ツーウェイ流体の流向は逆であり、
二流路流体ポンピング装置（１２３）は少なくとも２個の一方向流体ポンプ（１２０ａ）、一方向流体ポンプ（１２０ｂ）により構成され、回転式熱交換装置（１０００）の二流路流体の流体口（ａ）、流体口（ｂ）、流体口（ｃ）、流体口（ｄ）の中の流体口（ｂ）及び流体口（ｄ）に設置され、別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）により駆動される二流路流体ポンピング装置（１２３）により圧送される熱交換流体の流量の大小を制御し、及びターンテーブルの回転駆動装置（１１０）により駆動される回転式熱交換用ターンテーブル（１００）の回転速度の速さを制御し、
電源（３００）は回転式熱交換装置の作動電源を提供し、交流または直流の市内電源システムまたは独立型電気エネルギー供給装置を含み、
制御装置（２５０）はメカトロニックスコンポーネントまたは固相電子回路コンポーネント、または、マイクロプロセッサ及び関連ソフトウェア及び制御インターフェースにより構成されていることにより、二流路流体ポンピング装置（１２３）の一方向流体ポンプ（１２０ａ）、一方向流体ポンプ（１２０ｂ）は１．開閉機能を作動し、または、２．熱交換流体のポンピング流量を制御し、または、３．流体と回転式熱交換用ターンテーブル（１００）の温度分布状態を制御し、または、４．ターンテーブルの回転駆動装置（１１０）により駆動される回転式熱交換用ターンテーブル（１００）の回転速度の速さを制御し、または、５．前述の１．、２．、３．、４．項目の中で少なくとも二項目を統合して制御し、
ターンテーブルの回転駆動装置（１１０）は電力モータにより、または、その他回転動力源が変速装置（１１１）を経て構成されていることにより、回転式熱交換用ターンテーブル（１００）を駆動して回転させ、また、回転速度の速さを制御可能であり、熱交換特性を変更させ、
回転式熱交換用ターンテーブル（１００）はターンテーブルの回転駆動装置（１１０）を通して回転駆動され、ターンテーブルボディの内部には異なる流向である流体が通過する多孔状二流体通路の区域を有し、また、吸熱または放熱機能を有し、回転式熱交換用ターンテーブル（１００）の二流体通路は個別に二流体口を有することにより、別々にツーウェイ流体を圧送し、ツーウェイ流体の通路は互いに隔離され、かつ異なる流向で通過する流体はターンテーブルの回転駆動装置（１１０）に回転駆動される回転式熱交換用ターンテーブル（１００）を通過し、かつ熱交換機能を行い、
熱交換流体の流量の大小を制御し、及び／または、ターンテーブルの回転駆動装置（１１０）に駆動される回転式熱交換用ターンテーブル（１００）の回転速度の速さを制御するときは、１．流体の流量及び変換時間の開ループ制御をプリセットし、または、２．人為的に制御することにより、任意制御することを特徴とする回転式熱交換装置。
【請求項２】
一方向流体ポンプ（１２０ａ）及び一方向流体ポンプ（１２０ｂ）は、流体口（ａ）、流体口（ｄ）に設置され、または、流体口（ｂ）、流体口（ｃ）に設置可能であり、かつその中の一つの一方向流体ポンプにより正圧で圧送し、別の一方向流体ポンプは負圧のポンピングにより、回転式熱交換用ターンテーブル（１００）を通過するツーウェイ流体を異なる流向へ圧送することを特徴とする請求項１に記載の回転式熱交換装置。
【請求項３】
更に一歩進んで、温度測定装置が配置されていることにより、熱交換流体の流量を制御し、その主な構成は回転式熱交換装置（１０００）の二流路流体の流体口（ａ）、流体口（ｂ）、流体口（ｃ）、流体口（ｄ）の中の流体口（ｂ）及び流体口（ｄ）に別々に負圧または正圧を形成する一方向流体ポンプ（１２０ａ）、一方向流体ポンプ（１２０ｂ）が設置されていることにより、二流路流体ポンピング装置（１２３）が構成され、電源（３００）の電気エネルギーを通して、制御装置（２５０）を経て駆動される二流路流体ポンピング装置（１２３）の中で負圧または正圧を形成する一方向流体ポンプ（１２０ａ）、一方向流体ポンプ（１２０ｂ）を制御し、二つの流体をポンピングし、回転式熱交換用ターンテーブル（１００）へ流れる区域及び流体の流向が異なり、また、二つの流向が異なる流体の流路は互いに隔離され、
回転式熱交換装置（１０００）と負圧または正圧を形成する一方向流体ポンプ（１２０ａ）、一方向流体ポンプ（１２０ｂ）は一体または分離設置により、二流路流体ポンピング装置（１２３）の機能を構成可能であり、２個の負圧または正圧を形成する一方向流体ポンプ（１２０ａ）、一方向流体ポンプ（１２０ｂ）が別々に流体口（ｂ）及び流体口（ｄ）に設置されていることにより、流体を異なる流向へ圧送し、２個の負圧または正圧を形成する一方向流体ポンプ（１２０ａ）、一方向流体ポンプ（１２０ｂ）は個別に電力モータが設置されて駆動され、または、同一電力モータを共用して駆動可能であり、制御装置（２５０）の制御を通して、ニーズによって下記のの機能様式の作動を含み、１．２個の一方向流体ポンプ（１２０ａ）、一方向流体ポンプ（１２０ｂ）によって負圧のポンピングを行うことにより、ツーウェイ流体を異なる流向へ圧送し、２．２個の一方向流体ポンプ（１２０ａ）、一方向流体ポンプ（１２０ｂ）によって正圧のポンピングを行うことにより、ツーウェイ流体を異なる流向へ圧送し、前述の１．、２．種類の機能様式で圧送されるツーウェイ流体は回転式熱交換用ターンテーブル（１００）の異なる区域を通過し、ツーウェイ流体の流路は互いに隔離され、ツーウェイ流体の流向は逆であり、
直接または間接に圧送される交換流体の温度変化を測定可能な位置に少なくとも１個の温度測定装置（１１）が設置され、測定信号を制御装置（２５０）の制御時機の参考とし、それは下記を含み、１．二流路流体ポンピング装置（１２３）により圧送される交換流体の流量の大小を制御し、または、２．ターンテーブルの回転駆動装置（１１０）により駆動される回転式熱交換用ターンテーブル（１００）の回転速度の速さを制御し、または、３．同時に前述の１．、２．項目の制御を行い、
二流路流体ポンピング装置（１２３）は少なくとも２個の一方向流体ポンプ（１２０ａ）、一方向流体ポンプ（１２０ｂ）により構成され、回転式熱交換装置（１０００）の二流路流体の流体口（ａ）、流体口（ｂ）、流体口（ｃ）、流体口（ｄ）の中の流体口（ｂ）及び流体口（ｄ）に設置され、別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）により駆動される二流路流体ポンピング装置（１２３）により圧送される熱交換流体の流量の大小を制御し、及びターンテーブルの回転駆動装置（１１０）により駆動される回転式熱交換用ターンテーブル（１００）の回転速度の速さを制御し、
電源（３００）は回転式熱交換装置の作動電源を提供し、交流または直流の市内電源システムまたは独立型電気エネルギー供給装置を含み、
制御装置（２５０）はメカトロニックスコンポーネントまたは固相電子回路コンポーネント、または、マイクロプロセッサ及び関連ソフトウェア及び制御インターフェースにより構成されていることにより、二流路流体ポンピング装置（１２３）の一方向流体ポンプ（１２０ａ）、一方向流体ポンプ（１２０ｂ）は１．開閉機能を作動し、または、２．熱交換流体のポンピング流量を制御し、または、３．流体と回転式熱交換用ターンテーブル（１００）の温度分布状態を制御し、または、４．ターンテーブルの回転駆動装置（１１０）により駆動される回転式熱交換用ターンテーブル（１００）の回転速度の速さを制御し、または、５．前述の１．、２．、３．、４．項目の中で少なくとも二項目を統合して制御し、
ターンテーブルの回転駆動装置（１１０）は電力モータにより、または、その他回転動力源が変速装置（１１１）を経て構成されていることにより、回転式熱交換用ターンテーブル（１００）を駆動して回転させ、また、回転速度の速さを制御可能であり、熱交換特性を変更させ、
回転式熱交換用ターンテーブル（１００）はターンテーブルの回転駆動装置（１１０）を通して回転駆動され、ターンテーブルボディの内部には異なる流向である流体が通過する多孔状二流体通路の区域を有し、また、吸熱または放熱機能を有し、回転式熱交換用ターンテーブル（１００）の二流体通路は個別に二流体口を有することにより、別々にツーウェイ流体を圧送し、ツーウェイ流体の通路は互いに隔離され、かつ異なる流向で通過する流体はターンテーブルの回転駆動装置（１１０）に回転駆動される回転式熱交換用ターンテーブル（１００）を通過し、かつ熱交換機能を行い、
熱交換流体の流量の大小を制御し、及び／または、ターンテーブルの回転駆動装置（１１０）に駆動される回転式熱交換用ターンテーブル（１００）の回転速度の速さを制御する時機は１．流体の流量及び変換時間の開ループ制御をプリセットし、または、２．人為的に制御することにより、任意制御し、または、３．直接または間接に交換流体の温度変化を測定可能な位置に少なくとも１個の温度測定装置（１１）が設置され、温度測定装置（１１）により測定した信号で圧送する流体の流量の大小を制御し、及び／または、ターンテーブルの回転駆動装置（１１０）に駆動される回転式熱交換用ターンテーブル（１００）の回転速度の速さを制御する時機の参考とすることを特徴とする請求項１に記載の回転式熱交換装置。
【請求項４】
一方向流体ポンプ（１２０ａ）及び一方向流体ポンプ（１２０ｂ）は、流体口（ａ）、流体口（ｄ）に設置され、または、流体口（ｂ）、流体口（ｃ）に設置可能であり、かつその中の一つの一方向流体ポンプにより正圧で圧送し、別の一方向流体ポンプは負圧のポンピングにより、回転式熱交換用ターンテーブル（１００）を通過するツーウェイ流体を異なる流向へ圧送することを特徴とする請求項３に記載の回転式熱交換装置。
【請求項５】
更に一歩進んで、温度測定装置及び湿度測定装置が配置されていることにより、全熱交換流体の流量を制御し、その主な構成は回転式熱交換装置（１０００）の二流路流体の流体口（ａ）、流体口（ｂ）、流体口（ｃ）、流体口（ｄ）の中の流体口（ｂ）及び流体口（ｄ）に別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）により駆動される二流路流体ポンピング装置（１２３）の中で負圧または正圧を形成する一方向流体ポンプ（１２０ａ）、一方向流体ポンプ（１２０ｂ）を制御し、ポンピングされる二つの流体は回転式全熱交換用ターンテーブル（２００）へ流れる区域が異なり、また、二つの流向が異なる流体の流路は互いに隔離され、
回転式熱交換装置（１０００）と負圧または正圧を形成する一方向流体ポンプ（１２０ａ）、一方向流体ポンプ（１２０ｂ）は一体または分離設置により、二流路流体ポンピング装置（１２３）の機能を構成可能であり、２個の負圧または正圧を形成する一方向流体ポンプ（１２０ａ）、一方向流体ポンプ（１２０ｂ）が別々に流体口（ｂ）及び流体口（ｄ）に設置されていることにより、流体を異なる流向へ圧送し、２個の負圧または正圧を形成する一方向流体ポンプ（１２０ａ）、一方向流体ポンプ（１２０ｂ）は個別に電力モータが設置されて駆動され、または、同一電力モータを共用して駆動可能であり、制御装置（２５０）の制御を通して、ニーズによって下記のの機能様式の作動を含み、１．２個の一方向流体ポンプ（１２０ａ）、一方向流体ポンプ（１２０ｂ）によって負圧のポンピングを行うことにより、ツーウェイ流体を異なる流向へ圧送し、２．２個の一方向流体ポンプ（１２０ａ）、一方向流体ポンプ（１２０ｂ）によって正圧のポンピングを行うことにより、ツーウェイ流体を異なる流向へ圧送し、前述の１．、２．種類の機能様式で圧送されるツーウェイ流体は回転式全熱交換用ターンテーブル（２００）の異なる区域を通過し、ツーウェイ流体の流路は互いに隔離され、ツーウェイ流体の流向は逆であり、
直接または間接に圧送される交換流体の温度変化、湿度変化を測定可能な位置に少なくとも１個の温度測定装置（１１）または少なくとも１個の湿度測定装置（２１）が設置され、上記二者または少なくともその中の一つが設置されることを含み、かつ測定信号を制御装置（２５０）の制御時機の参考とし、それは下記を含み、１．二流路流体ポンピング装置（１２３）により圧送される交換流体の流量の大小を制御し、または、２．ターンテーブルの回転駆動装置（１１０）により駆動される回転式熱交換用ターンテーブル（２００）の回転速度の速さを制御し、または、３．同時に前述の１．、２．項目の制御を行い、
温度測定装置（１１）及び湿度測定装置（２１）は一体構造または分離して設置可能であり、
二流路流体ポンピング装置（１２３）は少なくとも２個の一方向流体ポンプ（１２０ａ）、一方向流体ポンプ（１２０ｂ）により構成され、回転式熱交換装置（１０００）の二流路流体の流体口（ｂ）、流体口（ｄ）に設置され、別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）によって駆動される二流路流体ポンピング装置（１２３）により圧送される熱交換流体の流量の大小を制御し、及びターンテーブルの回転駆動装置（１１０）により駆動される回転式全熱交換用ターンテーブル（２００）の回転速度の速さを制御し、
電源（３００）は回転式熱交換装置の作動電源を提供し、交流または直流の市内電源システムまたは独立型電気エネルギー供給装置を含み、
制御装置（２５０）はメカトロニックスコンポーネントまたは固相電子回路コンポーネント、または、マイクロプロセッサ及び関連ソフトウェア及び制御インターフェースにより構成されていることにより、二流路流体ポンピング装置（１２３）の一方向流体ポンプ（１２０ａ）、一方向流体ポンプ（１２０ｂ）は１．開閉機能を作動し、または、２．熱交換流体のポンピング流量を制御し、または、３．流体と回転式全熱交換用ターンテーブル（２００）の湿度分布状態を制御し、または、４．回転式全熱交換用ターンテーブル（２００）中の湿度の分布状態を制御し、または、５．ターンテーブルの回転駆動装置（１１０）により駆動される回転式全熱交換用ターンテーブル（２００）の回転速度の速さを制御し、または、６．前述の１．、２．、３．、４．、５．項目の中で少なくとも二項目を統合して制御し、
ターンテーブルの回転駆動装置（１１０）は電力モータにより、または、その他回転動力源が変速装置（１１１）を経て構成されていることにより、回転式全熱交換用ターンテーブル（２００）を駆動して回転させ、また、回転速度の速さを制御可能であり、熱交換特性を変更させ、
回転式全熱交換用ターンテーブル（２００）はターンテーブルの回転駆動装置（１１０）を通して回転駆動され、ターンテーブルボディの内部に異なる流向である流体が通過する多孔状二流体通路の区域を有し、また、湿度の吸収または放出機能を有し、熱交換用ターンテーブル（２００）の二流体通路は個別に二流体口を有することにより、別々にツーウェイ流体を圧送し、ツーウェイ流体の通路は互いに隔離され、かつ異なる流向で通過する流体はターンテーブルの回転駆動装置（１１０）に回転駆動される回転式熱交換用ターンテーブル（２００）を通過し、かつ全熱交換機能を行い、
熱交換流体の流量の大小を制御し、及び／または、ターンテーブルの回転駆動装置（１１０）に駆動される回転式全熱交換用ターンテーブル（２００）の回転速度の速さを制御する時機は１．流体の流量及び変換時間の開ループ制御をプリセットし、または、２．人為的に制御することにより、任意制御し、または、３．直接または間接に圧送される交換流体の温度変化、湿度変化を測定可能な位置に少なくとも１個の温度測定装置（１１）または少なくとも１個の湿度測定装置（２１）が設置され、上記二者または少なくともその中の一つが設置されていることを含み、かつ測定信号を熱交換流体の流量の大小を制御し、または／及び、ターンテーブルの回転駆動装置（１１０）に駆動される回転式全熱交換用ターンテーブル（２００）の回転速度の速さを制御する時機の参考とすることを特徴とする請求項１に記載の回転式熱交換装置。
【請求項６】
一方向流体ポンプ（１２０ａ）及び一方向流体ポンプ（１２０ｂ）が流体口（ａ）、流体口（ｄ）に設置され、または、流体口（ｂ）、流体口（ｃ）に設置可能であり、かつその中の一つの一方向流体ポンプにより正圧で圧送し、別の一方向流体ポンプは負圧のポンピングにより、回転式全熱交換用ターンテーブル（２００）を通過するツーウェイ流体を異なる流向へ圧送することを特徴とする請求項５に記載の回転式熱交換装置。
【請求項７】
更に一歩進んで、回転式全熱交換用ターンテーブル（２００）により交換される流体の流路の中に加熱器（１３０）が配置されていることにより、除湿効果を向上させ、加熱器は電気エネルギーにより熱を発生させ、または、その他温度制御可能な熱源により熱エネルギーを生じることを特徴とする請求項５に記載の回転式熱交換装置。
【請求項８】
更に一歩進んで、制御装置（２５０）により温度測定装置（１１）と湿度測定装置（２１）の測定値を参考にすることにより、加熱器（１３０）の加熱時機及び熱エネルギーの加熱を制御可能であることを特徴とする請求項７に記載の回転式熱交換装置。
【請求項９】
更に一歩進んで、温度測定装置及び気相または液相流体の成分測定装置が配置され、その主な構成は回転式熱交換装置（１０００）の二流路流体の流体口（ａ）、流体口（ｂ）、流体口（ｃ）、流体口（ｄ）の中の流体口（ｂ）及び流体口（ｄ）に別々に負圧または正圧を形成する一方向流体ポンプ（１２０ａ）、一方向流体ポンプ（１２０ｂ）が設置されていることにより、二流路流体ポンピング装置（１２３）が構成され、電源（３００）の電気エネルギーを通して、制御装置（２５０）を経て駆動される二流路流体ポンピング装置（１２３）の中で負圧または正圧を形成する一方向流体ポンプ（１２０ａ）、一方向流体ポンプ（１２０ｂ）を制御し、二つの流体をポンピングし、回転式熱交換用ターンテーブル（１００）へ流れる流向が異なり、また、二つの流向が異なる流体の流路は互いに隔離され、
回転式熱交換装置（１０００）と負圧または正圧を形成する一方向流体ポンプ（１２０ａ）、一方向流体ポンプ（１２０ｂ）は一体または分離設置により、二流路流体ポンピング装置（１２３）の機能を構成可能であり、２個の負圧または正圧を形成する一方向流体ポンプ（１２０ａ）、一方向流体ポンプ（１２０ｂ）が別々に流体口（ｂ）及び流体口（ｄ）に設置されていることにより、流体を異なる流向へ圧送し、２個の負圧または正圧を形成する一方向流体ポンプ（１２０ａ）、一方向流体ポンプ（１２０ｂ）は個別に電力モータが設置されて駆動され、または、同一電力モータを共用して駆動可能であり、制御装置（２５０）の制御を通して、ニーズによって下記のの機能様式の作動を含み、１．２個の一方向流体ポンプ（１２０ａ）、一方向流体ポンプ（１２０ｂ）によって負圧のポンピングを行うことにより、ツーウェイ流体を異なる流向へ圧送し、２．２個の一方向流体ポンプ（１２０ａ）、一方向流体ポンプ（１２０ｂ）によって正圧のポンピングを行うことにより、ツーウェイ流体を異なる流向へ圧送し、前述の１．、２．種類の機能様式で圧送されるツーウェイ流体は回転式熱交換用ターンテーブル（１００）の異なる区域を通過し、ツーウェイ流体の流路は互いに隔離され、ツーウェイ流体の流向は逆であり、
直接または間接に圧送される交換流体の温度変化を測定可能な位置に少なくとも１個の温度測定装置（１１）が設置され、及び気相または液相流体の成分変化を測定可能な位置に少なくとも１個の気相または液相流体の成分測定装置（３１）が設置され、上記二者または少なくともその中の測定装置が設置されていることを含み、かつ測定信号を制御装置（２５０）の制御時機の参考とし、それは下記を含み、１．二流路流体ポンピング装置（１２３）により圧送される交換流体の流量の大小を制御し、または、２．ターンテーブルの回転駆動装置（１１０）により駆動される回転式熱交換用ターンテーブル（１００）の回転速度の速さを制御し、または、３．同時に前述の１．、２．項目の制御を行い、
温度測定装置（１１）及び気相または液相流体の成分測定装置（３１）は一体構造または分離して設置可能であり、
二流路流体ポンピング装置（１２３）は少なくとも２個の一方向流体ポンプ（１２０ａ）、一方向流体ポンプ（１２０ｂ）により構成され、回転式熱交換装置（１０００）の二流路流体の流体口（ａ）、流体口（ｂ）、流体口（ｃ）、流体口（ｄ）の中の流体口（ｂ）及び流体口（ｄ）に設置され、別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）によって駆動される二流路流体ポンピング装置（１２３）により圧送される熱交換流体の流量の大小を制御し、及びターンテーブルの回転駆動装置（１１０）により駆動される回転式熱交換用ターンテーブル（１００）の回転速度の速さを制御し、
電源（３００）は回転式熱交換装置の作動電源を提供し、交流または直流の市内電源システムまたは独立型電気エネルギー供給装置を含み、
制御装置（２５０）はメカトロニックスコンポーネントまたは固相電子回路コンポーネント、または、マイクロプロセッサ及び関連ソフトウェア及び制御インターフェースにより構成されていることにより、二流路流体ポンピング装置（１２３）の一方向流体ポンプ（１２０ａ）、一方向流体ポンプ（１２０ｂ）は１．開閉機能を作動し、または、２．熱交換流体のポンピング流量を制御し、または、３．流体と回転式熱交換用ターンテーブル（１００）の温度分布状態を制御し、または、４．回転式熱交換装置（１０００）の両側の間を通して、熱交換の気相または液相流体の成分の交流状態を制御し、または、５．ターンテーブルの回転駆動装置（１１０）により駆動される回転式熱交換用ターンテーブル（１００）の回転速度の速さを制御し、または、６．前述の１．、２．、３．、４．、５．項目の中で少なくとも二項目を統合して制御し、
ターンテーブルの回転駆動装置（１１０）は電力モータにより、または、その他回転動力源が変速装置（１１１）を経て構成されていることにより、回転式熱交換用ターンテーブル（１００）を駆動して回転させ、また、回転速度の速さを制御可能であり、熱交換特性を変更させ、
回転式熱交換用ターンテーブル（１００）はターンテーブルの回転駆動装置（１１０）を通して回転駆動され、ターンテーブルボディの内部には異なる流向である流体が通過する多孔状二流体通路の区域を有し、また、吸熱または放熱機能を有し、回転式熱交換用ターンテーブル（１００）の二流体通路は個別に二流体口を有することにより、別々にツーウェイ流体を圧送し、ツーウェイ流体の通路は互いに隔離され、かつ異なる流向で通過する流体はターンテーブルの回転駆動装置（１１０）に回転駆動される回転式熱交換用ターンテーブル（１００）を通過し、かつ熱交換機能を行い、
熱交換流体の流量の大小を制御し、及び／または、ターンテーブルの回転駆動装置（１１０）に駆動される回転式熱交換用ターンテーブル（１００）の回転速度の速さを制御する時機は１．流体の流量及び変換時間の開ループ制御をプリセットし、または、２．人為的に制御することにより、任意制御し、または、３．直接または間接に圧送される気相または液相流体の温度または成分を測定可能な位置に少なくとも１個の温度測定装置（１１）または少なくとも１個の気相または液相流体の成分測定装置（３１）が設置され、上記二者または少なくともその中の一つが設置されていることを含み、かつ測定信号を熱交換流体の流量の大小を制御し、または／及び、ターンテーブルの回転駆動装置（１１０）に駆動される回転式熱交換用ターンテーブル（１００）の回転速度の速さを制御する時機の参考とすることを特徴とする請求項１に記載の回転式熱交換装置。
【請求項１０】
一方向流体ポンプ（１２０ａ）及び一方向流体ポンプ（１２０ｂ）は、流体口（ａ）、流体口（ｄ）に設置され、または、流体口（ｂ）、流体口（ｃ）に設置可能であり、かつその中の一つの一方向流体ポンプにより正圧で圧送し、別の一方向流体ポンプは負圧のポンピングにより、回転式熱交換用ターンテーブル（１００）を通過するツーウェイ流体を異なる流向へ圧送することを特徴とする請求項９に記載の回転式熱交換装置。
【請求項１１】
更に一歩進んで、温度測定装置及び湿度測定装置及び気相または液相流体の成分測定装置が配置され、その主な構成は回転式熱交換装置（１０００）の二流路流体の流体口（ａ）、流体口（ｂ）、流体口（ｃ）、流体口（ｄ）の中の流体口（ｂ）及び流体口（ｄ）に別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）により駆動される二流路流体ポンピング装置（１２３）の中で負圧または正圧を形成する一方向流体ポンプ（１２０ａ）、一方向流体ポンプ（１２０ｂ）を制御し、ポンピングされる二つの流体は回転式全熱交換用ターンテーブル（２００）へ流れる区域が異なり、また、二つの流向が異なる流体の流路は互いに隔離され、
回転式熱交換装置（１０００）と負圧または正圧を形成する一方向流体ポンプ（１２０ａ）、一方向流体ポンプ（１２０ｂ）は一体または分離設置により、二流路流体ポンピング装置（１２３）の機能を構成可能であり、２個の負圧または正圧を形成する一方向流体ポンプ（１２０ａ）、一方向流体ポンプ（１２０ｂ）が別々に流体口（ｂ）及び流体口（ｄ）に設置されていることにより、流体を異なる流向へ圧送し、負圧または正圧を形成する一方向流体ポンプ（１２０ａ）、一方向流体ポンプ（１２０ｂ）は個別に電力モータが設置されて駆動され、または、同一電力モータを共用して駆動可能であり、制御装置（２５０）の制御を通して、ニーズによって下記のの機能様式の作動を含み、１．一方向流体ポンプ（１２０ａ）、一方向流体ポンプ（１２０ｂ）によって負圧のポンピングを行うことにより、ツーウェイ流体を異なる流向へ圧送し、２．一方向流体ポンプ（１２０ａ）、一方向流体ポンプ（１２０ｂ）によって正圧のポンピングを行うことにより、ツーウェイ流体を異なる流向へ圧送し、前述の１．、２．種類の機能様式で圧送されるツーウェイ流体は回転式熱交換用ターンテーブル（２００）の異なる区域を通過し、ツーウェイ流体の流路は互いに隔離され、ツーウェイ流体の流向は逆であり、
直接または間接に圧送される交換流体の温度変化、湿度変化または気相または液相流体の成分変化を測定可能な位置に少なくとも１個の温度測定装置（１１）、少なくとも１個湿度測定装置（２１）または少なくとも１個の気相または液相流体の成分測定装置（３１）が設置され、上記三者または少なくともその中の測定装置が設置されていることを含み、かつ測定信号を制御装置（２５０）が二流路流体ポンピング装置（１２３）により圧送される交換流体の流量の大小を制御するときの制御時機の参考とし、それは下記を含み、１．二流路流体ポンピング装置（１２３）により圧送される交換流体の流量の大小を制御し、または、２．ターンテーブルの回転駆動装置（１１０）により駆動される回転式熱交換用ターンテーブル（２００）の回転速度の速さを制御し、または、３．同時に前述の１．、２．項目の制御を行い、
温度測定装置（１１）と湿度測定装置（２１）と気相または液相流体の成分測定装置（３１）とは一体構造または分離して設置可能であり、
二流路流体ポンピング装置（１２３）は少なくとも２個の一方向流体ポンプ（１２０ａ）、一方向流体ポンプ（１２０ｂ）により構成され、回転式熱交換装置（１０００）の二流路流体の流体口（ｂ）、流体口（ｄ）に設置され、別々に負圧または正圧を形成する一方向流体ポンプ（１２０ａ）、一方向流体ポンプ（１２０ｂ）が設置されていることにより、二流路流体ポンピング装置（１２３）が構成され、制御装置（２５０）を通して、電源（３００）によって駆動される二流路流体ポンピング装置（１２３）により圧送される熱交換流体の流量の大小を制御し、及びターンテーブルの回転駆動装置（１１０）により駆動される回転式全熱交換用ターンテーブル（２００）の回転速度の速さを制御し、
電源（３００）は回転式熱交換装置の作動電源を提供し、交流または直流の市内電源システムまたは独立型電気エネルギー供給装置を含み、
制御装置（２５０）はメカトロニックスコンポーネントまたは固相電子回路コンポーネント、または、マイクロプロセッサ及び関連ソフトウェア及び制御インターフェースにより構成されていることにより、二流路流体ポンピング装置（１２３）の一方向流体ポンプ（１２０ａ）、一方向流体ポンプ（１２０ｂ）は１．開閉機能を作動し、または、２．圧送する熱交換流体の流量を制御し、または、３．流体と回転式全熱交換用ターンテーブル（２００）の湿度分布状態を制御し、４．回転式全熱交換用ターンテーブル（２００）の中の湿度の分布状態を制御し、または、５．回転式熱交換装置（１０００）の両側の間に熱交換する気相または液相流体の成分の交流状態を制御し、または、６．ターンテーブルの回転駆動装置（１１０）により駆動される回転式全熱交換用ターンテーブル（２００）の回転速度の速さを制御し、または、７．前述の１．、２．、３．、４．、５．、６．項目の中で少なくとも二項目を統合して制御し、
ターンテーブルの回転駆動装置（１１０）は電力モータにより、または、その他回転動力源が変速装置（１１１）を経て構成されていることにより、回転式全熱交換用ターンテーブル（２００）を駆動して回転させ、また、回転速度の速さを制御可能であり、熱交換特性を変更させ、
回転式全熱交換用ターンテーブル（２００）はターンテーブルの回転駆動装置（１１０）を通して回転駆動され、ターンテーブルボディの内部には異なる流向である流体が通過する多孔状二流体通路の区域を有し、また、吸熱または放熱及び湿度を吸収または放出する機能を有し、回転式全熱交換用ターンテーブル（２００）の二流体通路は個別に二流体口を有することにより、別々にツーウェイ流体を圧送し、ツーウェイ流体の通路は互いに隔離され、かつ異なる流向で通過する流体はターンテーブルの回転駆動装置（１１０）に回転駆動される回転式全熱交換用ターンテーブル（２００）を通過し、かつ全熱交換機能を行い、
熱交換流体の流量の大小を制御し、及び／または、ターンテーブルの回転駆動装置（１１０）に駆動される回転式全熱交換用ターンテーブル（２００）の回転速度の速さを制御する時機は１．流体の流量及び変換時間の開ループ制御をプリセットし、または、２．人為的に制御することにより、任意制御し、または、３．直接または間接に圧送される交換流体の温度変化または湿度変化または気相または液相流体の成分変化を測定可能な位置に少なくとも１個の温度測定装置（１１）、少なくとも１個の湿度測定装置（２１）または少なくとも１個の気相または液相流体の成分測定装置（３１）が設置され、上記三者または少なくともその中の測定装置が設置されていることを含み、かつ測定信号を熱交換流体の流量の大小を制御し、または／及び、ターンテーブルの回転駆動装置（１１０）に駆動される回転式全熱交換用ターンテーブル（２００）の回転速度の速さを制御する時機の参考とすることを特徴とする請求項１に記載の回転式熱交換装置。
【請求項１２】
一方向流体ポンプ（１２０ａ）及び一方向流体ポンプ（１２０ｂ）は、流体口（ａ）、流体口（ｄ）に設置され、または、流体口（ｂ）、流体口（ｃ）に設置可能であり、かつその中の一つの一方向流体ポンプにより正圧で圧送し、別の一方向流体ポンプは負圧のポンピングにより、回転式全熱交換用ターンテーブル（２００）を通過するツーウェイ流体を異なる流向へ圧送することを特徴とする請求項１１に記載の回転式熱交換装置。
【請求項１３】
更に一歩進んで、回転式全熱交換用ターンテーブル（２００）により交換される流体の流路の中に加熱器（１３０）が配置されていることにより、除湿効果を向上させ、加熱器は電気エネルギーにより熱を発生させ、または、その他温度制御可能な熱源により熱エネルギーを生じることを特徴とする請求項１１に記載の回転式熱交換装置。
【請求項１４】
更に一歩進んで、制御装置（２５０）により、温度測定装置（１１）と湿度測定装置（２１）と気相または液相流体の成分測定装置（３１）の測定値を参考にすることにより、加熱器（１３０）の加熱時機及び熱エネルギーの加熱を制御可能であることを特徴とする請求項１３に記載の回転式熱交換装置。
【請求項１５】
回転式熱交換用ターンテーブルまたは回転式全熱交換用ターンテーブルの構造形態は、下記のを有することを特徴とし、それは下記を含み、１．線形またはその他幾何形状の管状構造を呈することが可能であり、または、２．気相または液相の流体通路が通過する多層構造体により構成可能であり、または、３．ワンウェイまたはワンウェイ以上の流体通路を直列接続、並列接続または直並列接続により構成可能であることを特徴とする請求項１に記載の回転式熱交換装置。
【請求項１６】
更に一歩進んで、温度測定装置（１１）、湿度測定装置（２１）、気相または液相流体の成分測定装置（３１）を設置可能であり、三者が全部設置され、または、少なくともその中のの測定装置が設置され、設置位置は回転式熱交換装置（１０００）、回転式熱交換用ターンテーブル（１００）または回転式全熱交換用ターンテーブル（２００）の流体口（ａ）及び流体口（ｂ）の二つの位置またはその中の一つの近くに設置され、または、流体口（ｃ）及び流体口（ｄ）の二つの位置またはその中の一つに、または、その他熱交換が作動するときに、交換流体の温度、湿度または流体の成分を測定可能な位置に設置されていることを含み、その数は１個または１個以上であることが可能であり、測定信号を参考にして、下記のの機能を操作することを含み、１．二流路流体ポンピング装置（１２３）を制御することにより、ポンピングする流体の流速の速さまたは流量の大小の参考を制御し、または、２．流体バルブのオープン量を制御することにより、ポンピングする流体の流速の速さまたは流量の大小の参考を制御し、
温度測定装置（１１）、湿度測定装置（２１）、気相または液相流体の成分測定装置（３１）は全部の測定装置が同一構造であり、または、一部の測定装置が同一構造であり、または、分離設置可能であることを特徴とする請求項１に記載の回転式熱交換装置。
【請求項１７】
２個の一方向流体ポンプ（１２０ａ）、一方向流体ポンプ（１２０ｂ）により構成されている二流路流体ポンピング装置（１２３）は、気相または液相の流体をポンピングし、二流路流体ポンプ（１２３）の２個の一方向流体ポンプ（１２０ａ）、一方向流体ポンプ（１２０ｂ）が構成され、個別に設置されている電力モータにより駆動する以外に、または、少なくとも２個の流体ポンプにより同一の電気駆動モータを共用し、または、エンジン動力を通して、または、その他風エネルギー、熱エネルギー、温度差エネルギーまたは太陽エネルギーにより生じる機械エネルギーまたは転換する電気エネルギーにより駆動可能であることを特徴とする請求項１に記載の回転式熱交換装置。
【請求項１８】
制御装置（２５０）は、各種の一方向流体ポンプ（１２０ａ）、一方向流体ポンプ（１２０ｂ）を駆動し、または、ターンテーブルの回転駆動装置（１１０）を駆動する電力モータを制御し、または、エンジン動力を制御し、または、その他風エネルギー、熱エネルギー、温度差エネルギーまたは太陽エネルギーにより生じる機械エネルギー或いは転換する電気エネルギーを制御し、または、流体ポンプまたは流体バルブの作動時機を制御することにより、回転式熱交換用ターンテーブル（１００）を通過する二流路の中の流体の流向を変更させ、または、ターンテーブルの回転駆動装置（１１０）により駆動される回転式熱交換用ターンテーブル（１００）を制御し、または、回転式全熱交換用ターンテーブル（２００）の回転速度の速さを制御し、及び更に一歩進んで、各流体ポンプの回転速度、流量、流体圧力等の一部機能或いは全部機能を制御可能であることを特徴とする請求項１に記載の回転式熱交換装置。
【請求項１９】
更に一歩進んで、制御装置（２５０）を通して、二流路流体ポンピング装置（１２３）により圧送される流体の流量の大小を制御し、及び／または、ターンテーブルの回転駆動装置（１１０）により駆動される回転式熱交換用ターンテーブル（１００）または回転式全熱交換用ターンテーブル（２００）の回転速度の速さを制御可能であり、その制御様式は下記のを含み、
１．人力で調整または設定することにより、制御し、
２．少なくとも１個の温度測定装置が設置され、測定信号を参考にして制御し、
３．少なくとも１個の湿度測定装置が設置され、測定信号を参考にして制御し、
４．少なくとも１個の気相または液相流体の成分測定装置が設置され、測定信号を参考にして制御し、
５．上記１．から４．の中の２種類のまたは２種類の以上の方式を統合して制御することを特徴とする請求項１に記載の回転式熱交換装置。
【請求項２０】
流量制御機能が設置されるときに、流体の流量制御範囲は輸送停止から最大輸送量までの間に作動のニーズによって流体の流量を有段または無段に制御可能であり、また、下記の一種或いは一種以上の装置を通して、流体の流量を変更させることを含み、
１．２個の一方向流体ポンプ（１２０ａ）、一方向流体ポンプ（１２０ｂ）により構成されている二流路流体ポンピング装置（１２３）のポンピング作動時の回転速度を制御し、作動停止から最高速度の範囲内の速度を控制してから、更に、流体の流量を制御し、
２．流体の出入りを制御可能なバルブ口を持つ二流路流体ポンピング装置（１２３）を採用することにより、二流路流体ポンピング装置（１２３）の流体が出入りするバルブ口のオープン量を制御し、更に、流体の流量を制御し、
３．１．から２．制御項目の中の装置で流体を間欠圧送し、かつ圧送または圧送停止の二者の時間比により、平均流量を制御することを特徴とする請求項１に記載の回転式熱交換装置。
【請求項２１】
回転式熱交換装置が作動するとき、回転式熱交換装置（１０００）を通過するツーウェイ流体の流量比は、下記のの割合様式を含み、
１．その中の一流路の流体の流量が別の流路より大きく、
２．二流路の流体の流量が同じであり、
３．２個の流体を異なる流向へポンピングする液体ポンプが交替して作動することにより、交替して逆流向を示すツーウェイ流体をポンピングすることを特徴とする請求項１に記載の回転式熱交換装置。
【請求項２２】
二流路の異なる流向の流体を圧送する以外に、二流路流体ポンピング装置（１２３）が二方向へポンピングする２個の流体ポンプにより構成されているときに、ツーウェイ流体のポンピング流向の制御を通して、更に一歩進んで、同時に下記のの特別な作動様式を含み、
１．二流路の流体を制御し、同じ流向の流体をポンピングし、
２．二流路の流体を制御し、同じ流向の流体を逆方向へポンピングし、
３．二流路の流体を制御し、同じ流向の流体をポンピングし、及び逆方向へ流体を周期的に正逆圧送でポンピングすることを特徴とする請求項１に記載の回転式熱交換装置。
【発明の詳細な説明】
【技術分野】
【０００１】
本発明は、回転式熱交換装置に関する。
【背景技術】
【０００２】
伝統的な気相または液相流体を圧送する二流路型熱回収装置または全熱回収装置は、下記を含む。
（１)固定式流体熱回収装置。
（２)固定式流体全熱回収装置。
（３)回転式流体熱回収装置。
（４)回転式流体全熱回収装置。
【発明の概要】
【発明が解決しようとする課題】
【０００３】
上述の熱回収装置は、通常、流速の設定、作動として選択され、入力側及び出力側の温度差、または、交換しようとしている気相または液相流体空間の間に、流体成分の差値が異なるとき、または、流体流速と交換しようとしている気相または液相の流体空間の温度差が異なるとき、熱交換効率は影響される。この他に伝統的な熱交換器は、また、熱制御の交換流量を通して、交換しようとしている気相または液相流体空間の間の流体の成分差値を調節することができず、及び温度差値または湿度差値に合わせて、能動的に熱交換の流量を制御し、省エネ効果を達成する自動制御機能もない。
【０００４】
伝統的な気相または液相流体を圧送する二流路型熱回収装置または全熱回収装置は、熱制御の交換流量を通して、交換しようとしている気相または液相流体空間の間の流体の成分差値を調節することができず、及び温度差値または湿度差値に合わせて、能動的に熱交換の流量を制御し、省エネ効果を達成する自動制御機能がない。
【課題を解決するための手段】
【０００５】
本発明は、伝統的な回転式二流路型熱交換装置を流体の交換流量を自動制御する回転式熱交換装置の作動機能に製作し、及びターンテーブルの回転駆動装置によって駆動する回転式熱交換用ターンテーブルまたは回転式全熱交換用ターンテーブルを制御することにより、交換流体の流量を制御したり、温度分布を制御したり、湿度の分布を制御したり、交換する気相または液相の流体の成分を制御したりする。
回転式二流路型熱交換装置を流体の交換流量を自動制御する作動機能に改良することにより、適時に流体と熱交換用ターンテーブルの間の温度分布状態を変更させ、または、圧送する気相または液相流体の成分の割合を制御する。また、回転式熱交換装置の内部の熱交換用ターンテーブルに浸透式や吸着式等の吸湿材料を挟込むまたは塗布する。或いは、本体が吸湿機能を兼ね備えている熱交換用ターンテーブルであるとき、更に一歩進んで、全熱交換機能の除湿効果を構成する。
【図面の簡単な説明】
【０００６】
【図１】伝統的な回転式全熱交換装置の作動原理を示す模式図である。
【図２】伝統的な回転式全熱交換装置のツーウェイの流向を示す流体が回転式全熱交換用ターンテーブルの異なる位置へ流れる状態を示す斜視図である。
【図３】本考案の一実施形態による回転式熱交換装置の流体の熱交換流量を自動制御する構造を示すブロック図である。
【図４】本考案の一実施形態による回転式熱交換装置の温度測定装置によって熱交換流体流量を制御する構造を示すブロック図である。
【図５】本考案の一実施形態による回転式熱交換装置の温度測定装置及び湿度測定装置によって全熱交換流体流量を制御する構造を示すブロック図である。
【図６】本考案の一実施形態による回転式熱交換装置の温度測定装置と気相または液相流体の成分測定装置によって熱交換流体流量を制御する構造を示すブロック図である。
【図７】本考案の一実施形態による回転式熱交換装置の温度測定装置と湿度測定装置と気相または液相流体の成分測定装置によって全熱交換流体流量を制御する構造を示すブロック図である。
【発明を実施するための形態】
【０００７】
伝統的な回転式熱交換装置または回転式全熱交換装置は、熱エネルギー回収効果を有し、広く応用され、ここで代表的な回転式全熱交換装置を例として説明する。図１に、伝統的な回転式全熱交換装置の作動原理の模式図を示す。図１の中で、通常、２個の異なる流向である流体ポンピング装置及び４個の流体口により、伝統的な回転式全熱交換装置内部の回転式全熱交換用ターンテーブル２００の両側に異なる流向で温度差を有するツーウェイ流体を圧送する。別々に異なる側に設けた流体口を経由して、ツーウェイ流体を送入し、及び別側に設けた流体口を経由して排出する。ツーウェイ流体は分けられて別々に異なる位置から、回転駆動される回転式全熱交換用ターンテーブル２００へ流れることを示す。図２に、伝統的な回転式全熱交換装置のツーウェイの異なる流向を示す流体が回転式全熱交換用ターンテーブル２００の異なる位置へ流れる状態の斜視図を示す。例えば、寒い冬に、室内の空気を室外に排出する熱交換換気装置を例として、室内の比較的高温の気流を流体口ａを経由して、伝統的な回転式全熱交換装置へ圧送して進入させ、回転式全熱交換用ターンテーブル２００の片側の流路を経て、再び流体口ｂにより室外へ排出する。及び室外の比較的低温の新鮮な気流を流体口ｃにより、伝統的な回転式全熱交換装置へ圧送して進入させ、回転式全熱交換用ターンテーブル２００の別側の流路を経て、再び流体口ｄにより排出して室内へ進入させる。かつ流体口ａと流体口ｄを室内へ通じる所に設置し、また、流体口ｃ及び流体口ｂを室外へ通じる所に設置する。安定作動時、流体口ａから流体口ｂ間の伝統的な回転式全熱交換装置の中にある回転式全熱交換用ターンテーブル２００の片側で流体口ａからの比較的高温が流体口ｂまで温度が段々下降して、比較的低温の温度分布を形成する。及び流体口ｃから流体口ｄの間にある回転式全熱交換用ターンテーブル２００の別側で流体口ｃからの比較的低温は流体口ｄまで温度が段々上昇して、比較的高温の温度分布を形成する。かつ熱交換効率は流動する流体の性質と流速と熱交換装置の中にある熱交換用ターンテーブルの特性及びその両側間流体の温度差によって決める。もし熱交換用ターンテーブルに浸透式や吸着式等の吸湿材料を挟込むまたは塗布で応用するとき、或いは、本体が吸湿機能を兼ね備えている熱交換用ターンテーブルであるとき、上述の２個の異なる流向を持つ流体は、伝統的な回転式全熱交換装置の内部にある回転式全熱交換用ターンテーブル２００において、異なる方向を通過する流体の２つの出入口端及び両端に安定している温度差値及び湿度（飽和度）差値を形成する。
【０００８】
本発明の一実施形態による回転式熱交換装置は、伝統的な回転式二流路型熱交換装置を、更に一歩進んで、流体の交換流量を自動制御する回転式熱交換装置の作動機能に製作することにより、交換流体の流量を制御したり、温度分布を制御したり、湿度分布を制御したり、交換する気相または液相流体の成分を制御したりする。
図３に、本実施形態の流体の熱交換流量を自動制御する構造のブロック図を示す。
【０００９】
図３で、本実施形態の主な構成は、回転式熱交換装置１０００の二流路流体の流体口ａ、流体口ｂ、流体口ｃ、流体口ｄの中の流体口ｂ及び流体口ｄに別々に負圧または正圧を形成する一方向流体ポンプ１２０ａ、一方向流体ポンプ１２０ｂを設置する。二流路流体ポンピング装置１２３を構成することにより、電源３００の電気エネルギーを通して、制御装置２５０を経て駆動する二流路流体ポンピング装置１２３の中で負圧または正圧を形成する一方向流体ポンプ１２０ａ、一方向流体ポンプ１２０ｂを制御し、二つの流体をポンピングする。回転式熱交換用ターンテーブル１００へ流れる区域及び流体の流向が異なり、また、二つの流向が異なる流体の流路は互いに隔離される。
【００１０】
回転式熱交換装置１０００と負圧または正圧を形成する一方向流体ポンプ１２０ａ、一方向流体ポンプ１２０ｂは、一体または分離設置により、二流路流体ポンピング装置１２３の機能を構成することができる。２個の負圧または正圧を形成する一方向流体ポンプ１２０ａ、一方向流体ポンプ１２０ｂを別々に流体口ｂ及び流体口ｄに設置することにより、流体を異なる流向へ圧送する。２個の負圧または正圧を形成する一方向流体ポンプ１２０ａ、一方向流体ポンプ１２０ｂは、個別に電力モータを設置して駆動し、または、同一電力モータを共用して駆動することができ、制御装置２５０の制御を通して、ニーズによって下記の一種または一種以上の機能様式の作動を含む。（１）２個の一方向流体ポンプ１２０ａ、一方向流体ポンプ１２０ｂにより負圧のポンピングを行うことにより、ツーウェイ流体を異なる流向へ圧送する。（２）２個の一方向流体ポンプ１２０ａ、一方向流体ポンプ１２０ｂにより正圧のポンピングを行うことにより、ツーウェイ流体を異なる流向へ圧送する。前述の（１）、（２）種類の機能様式で圧送されるツーウェイ流体は、回転式熱交換用ターンテーブル１００の異なる区域を通過し、ツーウェイ流体の流路は互いに隔離され、ツーウェイ流体の流向は逆である。
【００１１】
二流路流体ポンピング装置１２３は、少なくとも２個の一方向流体ポンプ１２０ａ、一方向流体ポンプ１２０ｂにより構成され、回転式熱交換装置１０００の二流路流体の流体口ａ、流体口ｂ、流体口ｃ、流体口ｄの中の流体口ｂ及び流体口ｄに設置する。別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３により圧送する熱交換流体の流量の大小を制御する。及びターンテーブルの回転駆動装置１１０により駆動する回転式熱交換用ターンテーブル１００の回転速度の速さを制御する。
電源３００は、本実施形態の回転式熱交換装置の作動電源を提供し、交流または直流の市内電源システムまたは独立型電気エネルギー供給装置を含む。
【００１２】
制御装置２５０は、メカトロニックスコンポーネントまたは固相電子回路コンポーネント、または、マイクロプロセッサ及び関連ソフトウェア及び制御インターフェースにより構成することにより、二流路流体ポンピング装置１２３の一方向流体ポンプ１２０ａ、一方向流体ポンプ１２０ｂが（１）開閉機能を作動する。または、（２）熱交換流体のポンピング流量を制御する。または、（３）流体と回転式熱交換用ターンテーブル１００の温度分布状態を制御する。または、（４）ターンテーブルの回転駆動装置１１０により駆動する回転式熱交換用ターンテーブル１００の回転速度の速さを制御する。または、（５）前述の（１）、（２）、（３）、（４）項目の中で少なくとも二項目を統合して制御する。
ターンテーブルの回転駆動装置１１０は、電力モータにより、または、その他回転動力源が変速装置１１１を経て構成することにより、回転式熱交換用ターンテーブル１００を駆動して回転させ、また、回転速度の速さを制御することができ、熱交換特性を変更させる。
【００１３】
回転式熱交換用ターンテーブル１００は、ターンテーブルの回転駆動装置１１０を通して、回転駆動される。ターンテーブルボディの内部には異なる流向である流体が通過する多孔状二流体通路の区域を有し、また、吸熱または放熱機能を有する。回転式熱交換用ターンテーブル１００の二流体通路は、個別に二流体口を有することにより、別々にツーウェイ流体を圧送する。ツーウェイ流体の通路は互いに隔離され、かつ異なる流向で通過する流体はターンテーブルの回転駆動装置１１０に回転駆動される回転式熱交換用ターンテーブル１００を通過し、かつ熱交換機能を行う。
熱交換流体流量の大小を制御し、及び／または、ターンテーブルの回転駆動装置１１０に駆動される回転式熱交換用ターンテーブル１００の回転速度の速さを制御する時機は、（１）流体流量及び変換時間の開ループ制御をプリセットする。または、（２）人為的に制御することにより、任意制御する。
【００１４】
この他に、上述の図３の実施形態では、また、一方向流体ポンプ１２０ａ及び一方向流体ポンプ１２０ｂを流体口ａ、流体口ｄに設置し、または、流体口ｂ、流体口ｃに設置することができ、かつその中の一つの一方向流体ポンプにより正圧で圧送する。別の一方向流体ポンプは負圧のポンピングにより、回転式熱交換用ターンテーブル１００を通過するツーウェイ流体を異なる流向へ圧送する。
図４で、本実施形態は、更に一歩進んで、温度測定装置を配置することにより、熱交換流体流量を制御する構造のブロック図を示す。
【００１５】
図４で、本実施形態の主な構成は、回転式熱交換装置１０００の二流路流体の流体口ａ、流体口ｂ、流体口ｃ、流体口ｄの中の流体口ｂ及び流体口ｄに別々に負圧または正圧を形成する一方向流体ポンプ１２０ａ、一方向流体ポンプ１２０ｂを設置することにより、二流路流体ポンピング装置１２３を構成する。電源３００の電気エネルギーを通して、制御装置２５０を経て駆動する二流路流体ポンピング装置１２３の中で負圧または正圧を形成する一方向流体ポンプ１２０ａ、一方向流体ポンプ１２０ｂを制御し、二つの流体をポンピングする。回転式熱交換用ターンテーブル１００へ流れる区域及び流体の流向は異なり、また、二つの流向が異なる流体の流路は互いに隔離される。
【００１６】
回転式熱交換装置１０００と負圧または正圧を形成する一方向流体ポンプ１２０ａ、一方向流体ポンプ１２０ｂは、一体または分離設置により、二流路流体ポンピング装置１２３の機能を構成することができる。２個の負圧または正圧を形成する一方向流体ポンプ１２０ａ、一方向流体ポンプ１２０ｂを別々に流体口ｂ及び流体口ｄに設置することにより、流体を異なる流向へ圧送する。上述の２個の負圧または正圧を形成する一方向流体ポンプ１２０ａ、一方向流体ポンプ１２０ｂは、個別に電力モータを設置して駆動し、または同一電力モータを共用して駆動することができ、制御装置２５０の制御を通して、ニーズによって下記の一種または一種以上の機能様式の作動を含む。（１）２個の一方向流体ポンプ１２０ａ、一方向流体ポンプ１２０ｂにより負圧のポンピングを行うことにより、ツーウェイ流体を異なる流向へ圧送する。（２）２個の一方向流体ポンプ１２０ａ、一方向流体ポンプ１２０ｂにより正圧のポンピングを行うことにより、ツーウェイ流体を異なる流向へ圧送する。前述の（１）、（２）種類の機能様式で圧送されるツーウェイ流体は回転式熱交換用ターンテーブル１００の異なる区域を通過し、ツーウェイ流体の流路は互いに隔離され、ツーウェイ流体の流向は逆である。
【００１７】
直接または間接に圧送する交換流体の温度変化を測定できる位置に少なくとも１個の温度測定装置１１を設置し、測定信号を制御装置２５０の制御時機の参考とする。それは下記を含む。（１）二流路流体ポンピング装置１２３により圧送する交換流体流量の大小を制御する。または、（２）ターンテーブルの回転駆動装置１１０により駆動する回転式熱交換用ターンテーブル１００の回転速度の速さを制御する。または、（３）同時に前述の（１）、（２）項目の制御を行う。
【００１８】
二流路流体ポンピング装置１２３は、少なくとも２個の一方向流体ポンプ１２０ａ、一方向流体ポンプ１２０ｂにより構成され、回転式熱交換装置１０００の二流路流体の流体口ａ、流体口ｂ、流体口ｃ、流体口ｄの中の流体口ｂ及び流体口ｄに設置する。別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３により圧送する熱交換流体流量の大小を制御し、及びターンテーブルの回転駆動装置１１０により駆動する回転式熱交換用ターンテーブル１００の回転速度の速さを制御する。
電源３００は、本実施形態の回転式熱交換装置の作動電源を提供し、交流または直流の市内電源システムまたは独立型電気エネルギー供給装置を含む。
【００１９】
制御装置２５０は、メカトロニックスコンポーネントまたは固相電子回路コンポーネント、または、マイクロプロセッサ及び関連ソフトウェア及び制御インターフェースにより構成することにより、二流路流体ポンピング装置１２３の一方向流体ポンプ１２０ａ、一方向流体ポンプ１２０ｂが（１）開閉機能を作動する。または、（２）熱交換流体のポンピング流量を制御する。または、（３）流体と回転式熱交換用ターンテーブル１００の温度分布状態を制御する。または、（４）ターンテーブルの回転駆動装置１１０により駆動する回転式熱交換用ターンテーブル１００の回転速度の速さを制御する。または、（５）前述の（１）、（２）、（３）、（４）項目の中で少なくとも二項目を統合して制御する。
ターンテーブルの回転駆動装置１１０は、電力モータにより、または、その他回転動力源が変速装置１１１を経て構成することにより、回転式熱交換用ターンテーブル１００を駆動して回転させ、また、回転速度の速さを制御することができ、熱交換特性を変更させる。
【００２０】
回転式熱交換用ターンテーブル１００は、ターンテーブルの回転駆動装置１１０を通して、回転駆動される。ターンテーブルボディの内部には異なる流向である流体が通過する多孔状二流体通路の区域を有し、また、吸熱または放熱機能を有する。回転式熱交換用ターンテーブル１００の二流体通路は、個別に二流体口を有することにより、別々にツーウェイ流体を圧送し、ツーウェイ流体の通路は互いに隔離される。かつ異なる流向で通過する流体は、ターンテーブルの回転駆動装置１１０に回転駆動される回転式熱交換用ターンテーブル１００を通過し、かつ熱交換機能を行う。
【００２１】
熱交換流体流量の大小を制御し、及び／または、ターンテーブルの回転駆動装置１１０に駆動される回転式熱交換用ターンテーブル１００の回転速度の速さを制御する時機は、（１）流体流量及び変換時間の開ループ制御をプリセットする。または、（２）人為的に制御することにより、任意制御する。または、（３）直接または間接に圧送する交換流体の温度変化を測定できる位置に少なくとも１個の温度測定装置１１を設置する。温度測定装置１１により測定した信号を圧送する流体流量の大小を制御し、及び／または、ターンテーブルの回転駆動装置１１０に駆動される回転式熱交換用ターンテーブル１００の回転速度の速さを制御する時機の参考とする。
【００２２】
この他に上述の図４の実施形態で、また、一方向流体ポンプ１２０ａ及び一方向流体ポンプ１２０ｂを流体口ａ、流体口ｄに設置し、または、流体口ｂ、流体口ｃに設置することができ、かつその中の一つの一方向流体ポンプにより正圧で圧送する。別の一方向流体ポンプは負圧のポンピングにより、回転式熱交換用ターンテーブル１００を通過するツーウェイ流体を異なる流向へ圧送する。
図５は、本実施形態に更に一歩進んで、温度測定装置及び湿度測定装置を配置することにより、全熱交換流体流量を制御する構造のブロック図を示す。
【００２３】
図５で、本実施形態の主な構成は、回転式熱交換装置１０００の二流路流体の流体口ａ、流体口ｂ、流体口ｃ、流体口ｄの中の流体口ｂ及び流体口ｄに別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３の中で負圧または正圧を形成する一方向流体ポンプ１２０ａ、一方向流体ポンプ１２０ｂを制御する。ポンピングされる二つの流体は、回転式全熱交換用ターンテーブル２００へ流れる区域が異なり、また、二つの流向が異なる流体の流路は互いに隔離される。
【００２４】
回転式熱交換装置１０００と負圧または正圧を形成する一方向流体ポンプ１２０ａ、一方向流体ポンプ１２０ｂは、一体または分離設置により、二流路流体ポンピング装置１２３の機能を構成することができる。２個の負圧または正圧を形成する一方向流体ポンプ１２０ａ、一方向流体ポンプ１２０ｂを別々に流体口ｂ及び流体口ｄに設置することにより、流体を異なる流向へ圧送する。上述の２個の負圧または正圧を形成する一方向流体ポンプ１２０ａ、一方向流体ポンプ１２０ｂは、個別に電力モータを設置して駆動し、または、同一電力モータを共用して駆動することができ、制御装置２５０の制御を通して、ニーズによって下記の一種または一種以上の機能様式の作動を含む。（１）２個の一方向流体ポンプ１２０ａ、一方向流体ポンプ１２０ｂにより負圧のポンピングを行うことにより、ツーウェイ流体を異なる流向へ圧送する。（２）２個の一方向流体ポンプ１２０ａ、一方向流体ポンプ１２０ｂにより正圧のポンピングを行うことにより、ツーウェイ流体を異なる流向へ圧送する。前述の（１）、（２）種類の機能様式で圧送されるツーウェイ流体は回転式全熱交換用ターンテーブル２００の異なる区域を通過し、ツーウェイ流体の流路は互いに隔離され、ツーウェイ流体の流向は逆である。
【００２５】
直接または間接に圧送する交換流体の温度変化、湿度変化を測定できる位置に少なくとも１個の温度測定装置１１または少なくとも１個の湿度測定装置２１を設置し、上記二者または少なくともその中の一つを設置することを含む。かつ測定信号を制御装置２５０の制御時機の参考とする。それは下記を含む。（１）二流路流体ポンピング装置１２３により圧送する交換流体流量の大小を制御する。または、（２）ターンテーブルの回転駆動装置１１０により駆動する回転式熱交換用ターンテーブル２００の回転速度の速さを制御する。または、（３）同時に前述の（１）、（２）項目の制御を行う。
上述の温度測定装置１１及び湿度測定装置２１は、一体構造または分離して設置することができる。
【００２６】
二流路流体ポンピング装置１２３は、少なくとも２個の一方向流体ポンプ１２０ａ、一方向流体ポンプ１２０ｂにより構成され、回転式熱交換装置１０００の二流路流体の流体口ｂ、流体口ｄに設置する。別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３により圧送する熱交換流体流量の大小を制御する。及びターンテーブルの回転駆動装置１１０により駆動する回転式全熱交換用ターンテーブル２００の回転速度の速さを制御する。
電源３００は、本実施形態の回転式熱交換装置の作動電源を提供し、交流または直流の市内電源システムまたは独立型電気エネルギー供給装置を含む。
【００２７】
制御装置２５０は、メカトロニックスコンポーネントまたは固相電子回路コンポーネント、または、マイクロプロセッサ及び関連ソフトウェア及び制御インターフェースにより構成することにより、二流路流体ポンピング装置１２３の一方向流体ポンプ１２０ａ、一方向流体ポンプ１２０ｂは（１）開閉機能を作動する。または、（２）熱交換流体のポンピング流量を制御する。または、（３）流体と回転式全熱交換用ターンテーブル２００の湿度分布状態を制御する。または、（４）回転式全熱交換用ターンテーブル２００中の湿度の分布状態を制御する。または、（５）ターンテーブルの回転駆動装置１１０により駆動する回転式全熱交換用ターンテーブル２００の回転速度の速さを制御する。または、（６）前述の（１）、（２）、（３）、（４）、（５）項目の中で少なくとも二項目を統合して制御する。
ターンテーブルの回転駆動装置１１０は、電力モータにより、または、その他回転動力源が変速装置１１１を経て構成することにより、回転式全熱交換用ターンテーブル２００を駆動して回転させ、また、回転速度の速さを制御することができ、熱交換特性を変更させる。
【００２８】
回転式全熱交換用ターンテーブル２００は、ターンテーブルの回転駆動装置１１０を通して、回転駆動される。ターンテーブルボディの内部には異なる流向である流体が通過する多孔状二流体通路の区域を有し、また、湿度の吸収または放出機能を有する。熱交換用ターンテーブル２００の二流体通路は個別に二流体口を有することにより、別々にツーウェイ流体を圧送し、ツーウェイ流体の通路は互いに隔離される。かつ異なる流向で通過する流体は、ターンテーブルの回転駆動装置１１０に回転駆動される回転式熱交換用ターンテーブル２００を通過し、かつ全熱交換機能を行う。
【００２９】
熱交換流体流量の大小を制御し、及び／または、ターンテーブルの回転駆動装置１１０に駆動される回転式全熱交換用ターンテーブル２００の回転速度の速さを制御する時機は、（１）流体流量及び変換時間の開ループ制御をプリセットする。または、（２）人為的に制御することにより、任意制御する。または、（３）直接または間接に交換流体の温度変化、湿度変化を測定できる位置に少なくとも１個の温度測定装置１１または少なくとも１個の湿度測定装置２１を設置し、上記二者または少なくともその中の一つを設置することを含む。かつ測定信号を熱交換流体流量の大小を制御し、及び／または、ターンテーブルの回転駆動装置１１０に駆動される回転式全熱交換用ターンテーブル２００の回転速度の速さを制御する時機の参考とする。
【００３０】
この他に上述の図５の実施形態でまた一方向流体ポンプ１２０ａ及び一方向流体ポンプ１２０ｂを流体口ａ、流体口ｄに設置し、または、流体口ｂ、流体口ｃに設置することができ、かつその中の一つの一方向流体ポンプにより正圧で圧送する。別の一方向流体ポンプは、負圧のポンピングにより、回転式全熱交換用ターンテーブル２００を通過するツーウェイ流体を異なる流向へ圧送する。
上述の図５の実施形態は、更に一歩進んで、回転式全熱交換用ターンテーブル２００により交換する流体の流路の中に加熱器１３０を配置することにより、除湿効果を向上させる。加熱器は、電気エネルギーにより熱を発生させ、または、その他温度制御ができる熱源により熱エネルギーを生じるものを含む。
【００３１】
この他に更に一歩進んで、制御装置２５０により、温度測定装置１１と湿度測定装置２１の測定値を参考にすることにより、加熱器１３０の加熱時機及び熱エネルギーの加熱を制御することができる。
図６に、本実施形態は、更に一歩進んで、温度測定装置と気相または液相流体の成分測定装置を配置することにより、熱交換流体流量を制御する構造のブロック図を示す。
【００３２】
図６で、本実施形態の主な構成は、回転式熱交換装置１０００の二流路流体の流体口ａ、流体口ｂ、流体口ｃ、流体口ｄの中の流体口ｂ及び流体口ｄに別々に負圧または正圧を形成する一方向流体ポンプ１２０ａ、一方向流体ポンプ１２０ｂを設置することにより、二流路流体ポンピング装置１２３を構成する。電源３００の電気エネルギーを通して、制御装置２５０を経て駆動する二流路流体ポンピング装置１２３の中で負圧または正圧を形成する一方向流体ポンプ１２０ａ、一方向流体ポンプ１２０ｂを制御し、二つの流体をポンピングし、回転式熱交換用ターンテーブル１００へ流れる流向が異なり、また、二つの流向が異なる流体の流路は互いに隔離される。
【００３３】
回転式熱交換装置１０００と負圧または正圧を形成する一方向流体ポンプ１２０ａ、一方向流体ポンプ１２０ｂは、一体または分離設置により、二流路流体ポンピング装置１２３の機能を構成することができる。２個の負圧または正圧を形成する一方向流体ポンプ１２０ａ、一方向流体ポンプ１２０ｂを別々に流体口ｂ及び流体口ｄに設置することにより、流体を異なる流向へ圧送する。上述の２個の負圧または正圧を形成する一方向流体ポンプ１２０ａ、一方向流体ポンプ１２０ｂは、個別に電力モータを設置して駆動し、または、同一電力モータを共用して駆動することができる。制御装置２５０の制御を通して、ニーズによって下記の一種または一種以上の機能様式の作動を含む。（１）２個の一方向流体ポンプ１２０ａ、一方向流体ポンプ１２０ｂにより負圧のポンピングを行うことにより、ツーウェイ流体を異なる流向へ圧送する。（２）２個の一方向流体ポンプ１２０ａ、一方向流体ポンプ１２０ｂにより正圧のポンピングを行うことにより、ツーウェイ流体を異なる流向へ圧送する。前述の（１）、（２）種類の機能様式で圧送されるツーウェイ流体は回転式熱交換用ターンテーブル１００の異なる区域を通過し、ツーウェイ流体の流路は互いに隔離され、ツーウェイ流体の流向は逆である。
【００３４】
直接または間接に圧送する交換流体の温度変化を測定できる位置に少なくとも１個の温度測定装置１１を設置し、及び気相または液相流体の成分変化を測定できる位置に少なくとも１個の気相または液相流体の成分測定装置３１を設置する。上記二者または少なくともその中の一種の測定装置を設置することを含む。かつ測定信号を制御装置２５０の制御時機の参考とする。それは下記を含む。（１）二流路流体ポンピング装置１２３により圧送する交換流体流量の大小を制御する。または、（２）ターンテーブルの回転駆動装置１１０により駆動する回転式熱交換用ターンテーブル１００の回転速度の速さを制御する。または、（３）同時に前述の（１）、（２）項目の制御を行う。
上述の温度測定装置１１及び気相または液相流体の成分測定装置３１は、一体構造または分離して設置することができる。
【００３５】
二流路流体ポンピング装置１２３は、少なくとも２個の一方向流体ポンプ１２０ａ、一方向流体ポンプ１２０ｂにより構成され、回転式熱交換装置１０００の二流路流体の流体口ａ、流体口ｂ、流体口ｃ、流体口ｄの中の流体口ｂ及び流体口ｄに設置する。別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３により圧送する熱交換流体流量の大小を制御する。及びターンテーブルの回転駆動装置１１０により駆動する回転式熱交換用ターンテーブル１００の回転速度の速さを制御する。
電源３００は、本実施形態の回転式熱交換装置の作動電源を提供し、交流または直流の市内電源システムまたは独立型電気エネルギー供給装置を含む。
【００３６】
制御装置２５０は、メカトロニックスコンポーネントまたは固相電子回路コンポーネント、または、マイクロプロセッサ及び関連ソフトウェア及び制御インターフェースにより構成することにより、二流路流体ポンピング装置１２３の一方向流体ポンプ１２０ａ、一方向流体ポンプ１２０ｂが（１）開閉機能を作動する。または、（２）熱交換流体のポンピング流量を制御する。または、（３）流体と回転式熱交換用ターンテーブル１００の温度分布状態を制御する。または、（４）回転式熱交換装置１０００両側の間を通して、熱交換の気相または液相流体の成分の交流状態を制御する。または、（５）ターンテーブルの回転駆動装置１１０により駆動する回転式熱交換用ターンテーブル１００の回転速度の速さを制御する。または、（６）前述の（１）、（２）、（３）、（４）、（５）項目の中で少なくとも二項目を統合して制御する。
ターンテーブルの回転駆動装置１１０は、電力モータにより、または、その他回転動力源が変速装置１１１を経て構成することにより、回転式熱交換用ターンテーブル１００を駆動して回転させ、また、回転速度の速さを制御することができ、熱交換特性を変更させる。
【００３７】
回転式熱交換用ターンテーブル１００は、ターンテーブルの回転駆動装置１１０を通して回転駆動される。ターンテーブルボディの内部には異なる流向である流体が通過する多孔状二流体通路の区域を有し、また、吸熱または放熱機能を有する。回転式熱交換用ターンテーブル１００の二流体通路は、個別に二流体口を有することにより、別々にツーウェイ流体を圧送し、ツーウェイ流体の通路は互いに隔離される。かつ異なる流向で通過する流体は、ターンテーブルの回転駆動装置１１０に回転駆動される回転式熱交換用ターンテーブル１００を通過し、かつ熱交換機能を行う。
【００３８】
熱交換流体流量の大小を制御し、及び／または、ターンテーブルの回転駆動装置１１０に駆動される回転式熱交換用ターンテーブル１００の回転速度の速さを制御する時機は、（１）流体流量及び変換時間の開ループ制御をプリセットする。または、（２）人為的に制御することにより、任意制御する。または、（３）直接または間接に圧送する気相または液相流体の温度または成分を測定できる位置に少なくとも１個の温度測定装置１１または少なくとも１個の気相または液相流体の成分測定装置３１を設置し、上記二者または少なくともその中の一つを設置することを含む。かつ測定信号により熱交換流体流量の大小を制御し、及び／または、ターンテーブルの回転駆動装置１１０に駆動される回転式熱交換用ターンテーブル１００の回転速度の速さを制御する時機の参考とする。
【００３９】
この他に上述の図６の実施形態は、また、一方向流体ポンプ１２０ａ及び一方向流体ポンプ１２０ｂを流体口ａ、流体口ｄに設置し、または、流体口ｂ、流体口ｃに設置することができ、かつその中の一つの一方向流体ポンプにより正圧で圧送する。別の一方向流体ポンプは、負圧のポンピングにより、回転式熱交換用ターンテーブル１００を通過するツーウェイ流体を異なる流向へ圧送する。
図７は、本実施形態に更に一歩進んで、温度測定装置と湿度測定装置と気相または液相流体の成分測定装置を配置することにより、全熱交換流体流量を制御する構造のブロック図を示す。
【００４０】
図７で、本実施形態の主な構成は、回転式熱交換装置１０００の二流路流体の流体口ａ、流体口ｂ、流体口ｃ、流体口ｄの中の流体口ｂ及び流体口ｄに別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３の中で負圧または正圧を形成する一方向流体ポンプ１２０ａ、一方向流体ポンプ１２０ｂを制御する。ポンピングされる二つの流体は、回転式全熱交換用ターンテーブル２００へ流れる区域が異なり、また、二つの流向が異なる流体の流路は互いに隔離される。
【００４１】
回転式熱交換装置１０００と負圧または正圧を形成する一方向流体ポンプ１２０ａ、一方向流体ポンプ１２０ｂは、一体または分離設置により、二流路流体ポンピング装置１２３の機能を構成することができる。２個の負圧または正圧を形成する一方向流体ポンプ１２０ａ、一方向流体ポンプ１２０ｂを別々に流体口ｂ及び流体口ｄに設置することにより、流体を異なる流向へ圧送する。２個の負圧または正圧を形成する一方向流体ポンプ１２０ａ、一方向流体ポンプ１２０ｂは、個別に電力モータを設置して駆動し、または、同一電力モータを共用して駆動することができる。制御装置２５０の制御を通して、ニーズによって下記の一種または一種以上の機能様式の作動を含む。（１）一方向流体ポンプ１２０ａ、一方向流体ポンプ１２０ｂにより負圧のポンピングを行うことにより、ツーウェイ流体を異なる流向へ圧送する。（２）一方向流体ポンプ１２０ａ、一方向流体ポンプ１２０ｂにより正圧のポンピングを行うことにより、ツーウェイ流体を異なる流向へ圧送する。前述の（１）、（２）種類の機能様式で圧送されるツーウェイ流体は回転式熱交換用ターンテーブル２００の異なる区域を通過し、ツーウェイ流体の流路は互いに隔離され、ツーウェイ流体の流向は逆である。
【００４２】
直接または間接に圧送する交換流体の温度変化、湿度変化または気相または液相流体の成分変化を測定できる位置に少なくとも１個の温度測定装置１１、少なくとも１個の湿度測定装置２１または少なくとも１個の気相または液相流体の成分測定装置３１を設置し、上記三者または少なくともその中の一種の測定装置を設置することを含む。かつ測定信号を制御装置２５０が二流路流体ポンピング装置１２３により圧送する交換流体流量の大小を制御するときの制御時機の参考とする。それは下記を含む。（１）二流路流体ポンピング装置１２３により圧送する交換流体流量の大小を制御する。または、（２）ターンテーブルの回転駆動装置１１０により駆動する回転式熱交換用ターンテーブル２００の回転速度の速さを制御する。または、（３）同時に前述の（１）、（２）項目の制御を行う。
温度測定装置１１と湿度測定装置２１と気相または液相流体の成分測定装置３１は、一体構造または分離して設置することができる。
【００４３】
二流路流体ポンピング装置１２３は、少なくとも２個の一方向流体ポンプ１２０ａ、一方向流体ポンプ１２０ｂにより構成され、回転式熱交換装置１０００の二流路流体の流体口ｂ、流体口ｄに設置する。別々に負圧または正圧を形成する一方向流体ポンプ１２０ａ、一方向流体ポンプ１２０ｂを設置することにより、二流路流体ポンピング装置１２３を構成する。制御装置２５０を通して、電源３００により駆動する二流路流体ポンピング装置１２３により圧送する熱交換流体流量の大小を制御する。及びターンテーブルの回転駆動装置１１０により駆動する回転式全熱交換用ターンテーブル２００の回転速度の速さを制御する。
電源３００は、本実施形態の回転式熱交換装置の作動電源を提供し、交流または直流の市内電源システムまたは独立型電気エネルギー供給装置を含む。
【００４４】
制御装置２５０は、メカトロニックスコンポーネントまたは固相電子回路コンポーネント、または、マイクロプロセッサ及び関連ソフトウェア及び制御インターフェースにより構成することにより、二流路流体ポンピング装置１２３の一方向流体ポンプ１２０ａ、一方向流体ポンプ１２０ｂが（１）開閉機能を作動する。または、（２）圧送する熱交換流体の流量を制御する。または、（３）流体と回転式全熱交換用ターンテーブル２００の湿度分布状態を制御する。（４）回転式全熱交換用ターンテーブル２００の中の湿度の分布状態を制御する。または、（５）回転式熱交換装置１０００両側の間に熱交換する気相または液相流体の成分の交流状態を制御する。または、（６）ターンテーブルの回転駆動装置１１０により駆動する回転式全熱交換用ターンテーブル２００の回転速度の速さを制御する。または、（７）前述の（１）、（２）、（３）、（４）、（５）、（６）項目の中で少なくとも二項目を統合して制御する。
ターンテーブルの回転駆動装置１１０は、電力モータにより、または、その他回転動力源が変速装置１１１を経て構成することにより、回転式全熱交換用ターンテーブル２００を駆動して回転させ、また、回転速度の速さを制御することができ、熱交換特性を変更させる。
【００４５】
回転式全熱交換用ターンテーブル２００は、ターンテーブルの回転駆動装置１１０を通して、回転駆動される。ターンテーブルボディの内部には異なる流向である流体が通過する多孔状二流体通路の区域を有し、また、吸熱または放熱及び湿度を吸収または放出する機能を有する。回転式全熱交換用ターンテーブル２００の二流体通路は個別に二流体口を有することにより、別々にツーウェイ流体を圧送し、ツーウェイ流体の通路は互いに隔離される。かつ異なる流向で通過する流体は、ターンテーブルの回転駆動装置１１０に回転駆動される回転式全熱交換用ターンテーブル２００を通過し、かつ全熱交換機能を行う。
【００４６】
熱交換流体流量の大小を制御し、及び／または、ターンテーブルの回転駆動装置１１０に駆動される回転式全熱交換用ターンテーブル２００の回転速度の速さを制御する時機は、（１）流体流量及び変換時間の開ループ制御をプリセットする。または、（２）人為的に制御することにより、任意制御する。または、（３）直接または間接に圧送する交換流体の温度変化、湿度変化または気相または液相流体の成分変化を測定できる位置に少なくとも１個の温度測定装置１１、少なくとも１個の湿度測定装置２１または少なくとも１個の気相または液相流体の成分測定装置３１を設置し、上記三者または少なくともその中の一種の測定装置を設置することを含む。かつ測定信号を熱交換流体流量の大小を制御し、または／及び、ターンテーブルの回転駆動装置１１０に駆動される回転式全熱交換用ターンテーブル２００の回転速度の速さを制御する時機の参考とする。
【００４７】
この他に上述の図７の実施形態に、また、一方向流体ポンプ１２０ａ及び一方向流体ポンプ１２０ｂを流体口ａ、流体口ｄに設置し、または、流体口ｂ、流体口ｃに設置することができ、かつその中の一つの一方向流体ポンプにより正圧で圧送する。別の一方向流体ポンプは、負圧のポンピングにより、回転式全熱交換用ターンテーブル２００を通過するツーウェイ流体を異なる流向へ圧送する。
上述の図７の実施形態は、更に一歩進んで、回転式全熱交換用ターンテーブル２００により交換する流体の流路の中に加熱器１３０を配置することにより、除湿効果を向上させる。加熱器は、電気エネルギーにより熱を発生させ、または、その他温度制御ができる熱源により熱エネルギーを生じるものを含む。
【００４８】
この他にまた更に一歩進んで、制御装置２５０により、温度測定装置１１と湿度測定装置２１と気相または液相流体の成分測定装置３１の測定値を参考にすることにより、加熱器１３０の加熱時機及び熱エネルギーの加熱を制御することができる。
本実施形態の回転式熱交換装置の中で、回転式熱交換用ターンテーブルまたは回転式全熱交換用ターンテーブルの構造形態は、下記の一種または一種以上を有することを特徴とし、それは下記を含む。（１）線形またはその他幾何形状の管状構造を呈することができる。または、（２）気相または液相の流体通路が通過する多層構造体により構成することができる。または、（３）ワンウェイまたはワンウェイ以上の流体通路を直列接続、並列接続または直並列接続により構成することができる。
【００４９】
本実施形態の回転式熱交換装置は、更に一歩進んで、温度測定装置１１、湿度測定装置２１、気相または液相流体の成分測定装置３１を設置することができ、三者を全部設置し、または、少なくともその中の一種または一種以上の測定装置を設置する。設置位置は回転式熱交換装置１０００、回転式熱交換用ターンテーブル１００または回転式全熱交換用ターンテーブル２００の流体口ａ及び流体口ｂの二つの位置またはその中の一つの近くに設置し、または、流体口ｃ及び流体口ｄの二つの位置またはその中の一つに、または、その他熱交換が作動するときに、交換流体の温度または湿度または流体の成分を測定できる位置に設置することを含む。その数は１個または１個以上であることができ、測定信号を参考にして、下記の一種または一種以上の機能を操作することを含む。（１）二流路流体ポンピング装置１２３を制御することにより、ポンピングする流体流速の速さまたは流量の大小の参考を制御する。または、（２）流体バルブのオープン量を制御することにより、ポンピングする流体流速の速さまたは流量の大小の参考を制御する。
温度測定装置１１、湿度測定装置２１、気相または液相流体の成分測定装置３１は、全部の測定装置が同一構造であり、または、一部の測定装置が同一構造であり、または、分離設置することができる。
【００５０】
本実施形態の２個の一方向流体ポンプ１２０ａ、一方向流体ポンプ１２０ｂにより構成する二流路流体ポンピング装置１２３は、気相または液相の流体をポンピングし、二流路流体ポンプ１２３の２個の一方向流体ポンプ１２０ａ、一方向流体ポンプ１２０ｂを構成し、個別に設置する電力モータにより駆動する以外に、または、少なくとも２個の流体ポンプにより同一の電気駆動モータを共用し、または、エンジン動力を通して、または、その他風エネルギー、熱エネルギー、温度差エネルギーまたは太陽エネルギーにより生じる機械エネルギーまたは転換する電気エネルギーにより駆動することができる。
【００５１】
本実施形態の制御装置２５０は、各種の一方向流体ポンプ１２０ａ、一方向流体ポンプ１２０ｂを駆動し、または、ターンテーブルの回転駆動装置１１０を駆動する電力モータを制御し、または、エンジン動力を制御し、または、その他風エネルギー、熱エネルギー、温度差エネルギーまたは太陽エネルギーにより生じる機械エネルギー或いは転換する電気エネルギーを制御し、または、流体ポンプまたは流体バルブの作動時機を制御することにより、回転式熱交換用ターンテーブル１００を通過する二流路の中の流体流向を変更させる。または、ターンテーブルの回転駆動装置１１０により駆動する回転式熱交換用ターンテーブル１００を制御し、または、回転式全熱交換用ターンテーブル２００の回転速度の速さを制御し、及び更に一歩進んで、各流体ポンプの回転速度、流量、流体圧力等の一部機能或いは全部機能を制御することができる。
本実施形態の回転式熱交換装置は、更に一歩進んで、制御装置２５０を通して、二流路流体ポンピング装置１２３により圧送する流体の流量の大小を制御し、及び／または、ターンテーブルの回転駆動装置１１０により駆動する回転式熱交換用ターンテーブル１００または回転式全熱交換用ターンテーブル２００の回転速度の速さを制御することができ、その制御様式は下記の一種または一種以上を含む。
（１）人力で調整または設定することにより、制御する。
【００５２】
（２）少なくとも１個の温度測定装置を設置し、測定信号を参考にして制御する。
（３）少なくとも１個の湿度測定装置を設置し、測定信号を参考にして制御する。
（４）少なくとも１個の気相または液相流体の成分測定装置を設置し、測定信号を参考にして制御する。
（５）上記（１）から（４）の中の２種類のまたは２種類以上の方式を統合して制御する。
【００５３】
本実施形態の回転式熱交換装置に流量制御機能を設置するときに、流体流量制御範囲は、輸送停止から最大輸送量までの間に、作動のニーズによって流体流量を有段または無段に制御することができ、また、下記の一種或いは一種以上の装置を通して、流体流量を変更させることを含む。
（１）２個の一方向流体ポンプ１２０ａ、一方向流体ポンプ１２０ｂにより構成する二流路流体ポンピング装置１２３のポンピング作動時の回転速度を制御し、作動停止から最高速度の範囲内の速度を控制してから、更に、流体の流量を制御する。
【００５４】
（２）流体の出入りを制御できるバルブ口を持つ二流路流体ポンピング装置１２３を採用することにより、二流路流体ポンピング装置１２３の流体が出入りするバルブ口のオープン量を制御し、更に、流体流量を制御する。
（３）（１）から（２）制御項目の中のいかなる装置で流体を間欠圧送し、かつ圧送または圧送停止の二者の時間比により、平均流量を制御する。
【００５５】
本実施形態の回転式熱交換装置が作動するとき、回転式熱交換装置１０００を通過するツーウェイ流体の流量比は、下記の一種または一種以上の割合様式を含む。
（１）その中の一流路の流体流量が別の流路より大きい。
（２）二流路の流体流量が同じである。
（３）２個の流体を異なる流向へポンピングする液体ポンプが交替して作動することにより、交替して逆流向を示すツーウェイ流体をポンピングする。
【００５６】
本実施形態の回転式熱交換装置は、二流路の異なる流向の流体を圧送する以外に、二流路流体ポンピング装置１２３を二方向へポンピングする２個の流体ポンプにより構成するときに、ツーウェイ流体のポンピング流向の制御を通して、更に一歩進んで、同時に下記の一種または一種以上の特別な作動様式を含む。
（１）二流路の流体を制御し、同じ流向の流体をポンピングする。
（２）二流路の流体を制御し、同じ流向の流体を逆方向へポンピングする。
（３）二流路の流体を制御し、同じ流向の流体をポンピングし、及び逆方向へ流体を周期的に正逆圧送でポンピングする。
上述のツーウェイ流体の同じ流向への圧送機能は、緊急時の流体流量をポンプインまたはポンプアウトのニーズへの応用が可能である。
【符号の説明】
【００５７】
１１：温度測定装置、２１：湿度測定装置、３１：気相または液相流体の成分測定装置、１００：回転式熱交換用ターンテーブル、１１０：ターンテーブルの回転駆動装置、１１１：変速装置、１２０ａ：一方向流体ポンプ、１２０ｂ：一方向流体ポンプ、１２３：二流路流体ポンピング装置、１３０：加熱器、２００：回転式全熱交換用ターンテーブル、２５０：制御装置、３００：電源、１０００：回転式熱交換装置、ａ：流体口、ｂ：流体口、ｃ：流体口、ｄ：流体口
【図１】
2010151438.tif 000003
【図２】
2010151438.tif 000004
【図３】
2010151438.tif 000005
【図４】
2010151438.tif 000006
【図５】
2010151438.tif 000007
【図６】
2010151438.tif 000008
【図７】
2010151438.tif 000009
【外国語明細書】
2010151438.tif 000010
2010151438.tif 000011
2010151438.tif 000012
2010151438.tif 000013
2010151438.tif 000014
2010151438.tif 000015
2010151438.tif 000016
2010151438.tif 000017
2010151438.tif 000018
2010151438.tif 000019
2010151438.tif 000020
2010151438.tif 000021
2010151438.tif 000022
2010151438.tif 000023
2010151438.tif 000024
2010151438.tif 000025
2010151438.tif 000026
2010151438.tif 000027
2010151438.tif 000028
2010151438.tif 000029
2010151438.tif 000030
2010151438.tif 000031
2010151438.tif 000032
2010151438.tif 000033
2010151438.tif 000034
2010151438.tif 000035
2010151438.tif 000036
2010151438.tif 000037
2010151438.tif 000038
2010151438.tif 000039
2010151438.tif 000040
2010151438.tif 000041
2010151438.tif 000042
2010151438.tif 000043
2010151438.tif 000044
2010151438.tif 000045
2010151438.tif 000046
2010151438.tif 000047
2010151438.tif 000048
2010151438.tif 000049
2010151438.tif 000050
2010151438.tif 000051
2010151438.tif 000052
2010151438.tif 000053
2010151438.tif 000054
2010151438.tif 000055
2010151438.tif 000056
2010151438.tif 000057
2010151438.tif 000058
2010151438.tif 000059
2010151438.tif 000060
2010151438.tif 000061
2010151438.tif 000062
2010151438.tif 000063
2010151438.tif 000064
2010151438.tif 000065
2010151438.tif 000066
2010151438.tif 000067
2010151438.tif 000068
2010151438.tif 000069
2010151438.tif 000070
2010151438.tif 000071